(57)【要約】【課題】  外国語学習などを効果的に進めるためにより利便性の高いデジタルメディア再生装置を提供する。【解決手段】  ユーザが聞きづらかった位置でマークボタン（第一のマークボタン１５ａ）を操作すると、その位置をマーク時刻（終了時刻）として記憶しつつ、少なくとも一度は５秒前に戻り、繰り返して再生できるようにしている。特定の区間を指定するのにマークすべきなのは一カ所であり、その位置を終了時刻として５秒前を開始位置として設定している。よって、開始位置と終了位置を常に設定しなければならない従来のものと比べて、格段に、利便性が向上する。【選択図】  図２
2015153437.tif 000002
【特許請求の範囲】
【請求項１】
少なくとも音声のデジタルデータを記録されたデジタルメディアを再生するデジタルメディア再生装置であって、
前記音声のデジタルデータを再生して音声信号として出力するデータ再生手段と、
ユーザからの操作を受け付ける操作子と、
前記音声のデジタルデータの再生時間と対応させて前記操作子のマーク操作時期を記憶するマーク操作時期記憶手段と、
このマーク操作時期記憶手段で記憶されている前記操作子のマーク操作時期から所定時間だけ遡った特定の区間について、前記データ再生手段に対して、前記デジタルデータを再生させて少なくとも音声信号を出力させる特殊再生制御手段とを具備することを特徴とするデジタルメディア再生装置。
【請求項２】
前記特殊再生制御手段は、前記特定の区間について、操作子のマーク操作時期から遡る時間をユーザからの操作を受け付けて変更可能であることを特徴とする請求項１に記載のデジタルメディア再生装置。
【請求項３】
前記デジタルメディアには、前記音声のデジタルデータに加えて映像のデジタルデータと字幕のデータも記録されており、
前記データ再生手段は、前記デジタルデータを再生して、前記字幕の入った映像の映像信号と、前記音声信号とを出力することが可能であり、
前記特殊再生制御手段は、前記操作子のマーク操作時期を表示期間として含む字幕の開始位置を探して前記特定の区間の開始位置とすることを特徴とする請求項１または請求項２に記載のデジタルメディア再生装置。
【請求項４】
前記マーク操作時期記憶手段は、前記操作子による第二のマーク操作時期を記憶することが可能であり、
前記特殊再生制御手段は、前記特定の区間の開始位置から前記第二のマーク操作時期までの区間を、前記データ再生手段に対して、繰り返して再生させることを特徴とする請求項１〜請求項３のいずれかに記載のデジタルメディア再生装置。
【請求項５】
前記特殊再生制御手段は、前記特定の区間について、前記データ再生手段に対して、再生速度を変えて再生させることを特徴とする請求項１〜請求項４のいずれかに記載のデジタルメディア再生装置。
【請求項６】
前記特殊再生制御手段は、前記特定の区間だけを、前記データ再生手段に対して、再生させることを特徴とする請求項１〜請求項５のいずれかに記載のデジタルメディア再生装置。
【請求項７】
前記マーク操作時期記憶手段は、前記操作子のマーク操作時期とともに操作中の期間を記憶し、
前記操作子のマーク操作時期から前記操作中の期間だけ遡った区間を、前記特定の区間として、前記データ再生手段に対して、再生させることを特徴とする請求項１〜請求項６のいずれかに記載のデジタルメディア再生装置。
【請求項８】
ユーザからの操作を受け付ける操作子を備え、少なくとも音声のデジタルデータを記録されたデジタルメディアを再生するデジタルメディア再生方法であって、
前記音声のデジタルデータの再生時間と対応させて前記操作子のマーク操作時期を記憶する工程と、
この記憶されている前記操作子のマーク操作時期から所定時間だけ遡った特定の区間について、前記デジタルデータを再生させて少なくとも音声信号を出力させる工程とを含むことを特徴とするデジタルメディア再生方法。
【発明の詳細な説明】
【技術分野】
【０００１】
本発明は、少なくとも音声のデジタルデータを記録されたデジタルメディア再生装置およびデジタルメディア再生方法に関する。
【背景技術】
【０００２】
外国語学習などを効果的に進めるために繰り返し再生などの技術が知られている。この場合、繰り返し聞きたい場所をマークする操作が必要となる。このような繰り返し再生に関して、特許文献１〜４に開示されるものが知られている。
特許文献１は、松下電器産業株式会社マークした部分をゆっくりと再生するマーク装置、マーク方法、データ出力装置などに関する。特許文献１には、請求項１と段落００２１に、「表示画面を有する表示手段と、マーク手段とを備え、マーク対象の再生速度をゆっくりさせたり、音量を少しだけ大きくして聴き取り易くしたりする。」、また、段落００５６に、「マークした単語を含むフレーズ、あるいは、文章を繰り返したりするようにしてもよい。また、マークした単語を含む前後一定時間のみ繰り返し再生しても良い。」との開示がある。
【０００３】
特許文献２は、マーク期間のみを再生する記録再生装置に関する。特許文献２には、請求項１に、「データの特定の箇所に任意の長さのマーク期間を指定できるマーキング手段を備える。」、また、請求項５に、「二次マーク期間の間を自動的にスキップして二次マーク期間のみを連続再生するオートスキップ再生モードを備える。」との開示がある。
【０００４】
特許文献３は、反復時は聞き取りやすいように再生速度を制御する情報記録再生装置に関する。特許文献３には、請求項１に、「所定区間の主情報を反復再生する反復再生手段と、反復再生操作に連動して主情報の再生速度を制御する。」との開示がある。
特許文献４は、字幕の重畳を区切り点として検出する再生装置および再生方法に関する。特許文献４には、請求項１に、「字幕の映像情報による画像に対する重畳区間の始点および終点を、語学学習用の区切り区間の始点および終点として検出する。ユーザからの指示により、区切り区間を繰り返し再生する。」との開示がある。
【先行技術文献】
【特許文献】
【０００５】
【特許文献１】特開２００４−２２６７０１号公報
【特許文献２】特開２００５−２０９３２０号公報
【特許文献３】特開平０６−１６７９９９号公報
【特許文献４】特開２００９−１６４９７９号公報
【発明の概要】
【発明が解決しようとする課題】
【０００６】
従来の技術では、ある区間を再生させる場合、開始点と終了点とを設定しなければならない。しかし、聞き逃したり、聞きづらかった場合は、再生後に気づくものであり、終了点は指定しやすいとしても、開始点をさらに指定しなければならないのは、ユーザにとってとても煩わしい。
また、聞きづらかった部分に集中したい場合は、その部分以外の再生をされると集中できないことが多い。
【０００７】
一方、聞きづらかった部分が複数箇所にある場合、そのような部分だけを集中して聞けば、自分の弱みの対策として有効であると思われる。しかし、そのような有効な再生方法を開示するものも、示唆するものもない。
本発明は、外国語学習などを効果的に進めるためにより利便性の高いデジタルメディア再生装置を提供する。
【課題を解決するための手段】
【０００８】
本発明は、少なくとも音声のデジタルデータを記録されたデジタルメディア再生装置であって、前記音声のデジタルデータを再生して音声信号として出力するデータ再生手段と、ユーザからの操作を受け付ける操作子と、前記音声のデジタルデータの再生時間と対応させて前記操作子のマーク操作時期を記憶するマーク操作時期記憶手段と、このマーク操作時期記憶手段で記憶されている前記操作子のマーク操作時期から所定時間だけ遡った特定の区間について、前記データ再生手段に対して、前記デジタルデータを再生させて少なくとも音声信号を出力させる特殊再生制御手段とを具備する構成としてある。
【０００９】
前記構成において、操作子によってユーザからの操作を受け付けると、マーク操作時期記憶手段は前記音声のデジタルデータの再生時間と対応させて前記操作子のマーク操作時期を記憶し、特殊再生制御手段がこのマーク操作時期記憶手段で記憶されている前記操作子のマーク操作時期から所定時間だけ遡った特定の区間について、前記データ再生手段に対して、前記デジタルデータを再生させて少なくとも音声信号を出力させる。
【００１０】
このように、操作子のマーク操作時期から所定時間だけ遡った特定の区間を再生対象とする。聞き逃した時点で操作子を操作すると、所定時間だけ遡ったところが開始点となるので、きわめて簡易な操作と構成によって、再生区間を特定できることになる。
本発明の他の態様として、前記特殊再生制御手段は、前記特定の区間について、操作子のマーク操作時期から遡る時間をユーザからの操作を受け付けて変更可能な構成としてある。
【００１１】
前記構成において、操作子のマーク操作時期から遡る時間をユーザからの操作を受け付けて変更する。ユーザが、自分にとって最適と思われる時間だけ遡らせることができるようになる。ユーザによっては、特定の区間として再生したい区間について、短めに設定した人もいるであろうし、より長めに設定したい人もいる。いずれにしても、その人の好みに応じて変更できるので、学習効果を向上させることができる。
【００１２】
本発明の他の態様として、前記デジタルメディアには、前記音声のデジタルデータに加えて映像のデジタルデータと字幕のデジタルデータも記録されており、前記データ再生手段は、前記デジタルデータを再生して、前記字幕の入った映像の映像信号と、前記音声信号とを出力することが可能であり、前記特殊再生制御手段は、前記操作子のマーク操作時期を表示期間として含む字幕の開始位置を探して前記特定の区間の開始位置とする構成としてある。
【００１３】
前記構成において、前記デジタルメディアには、前記音声のデジタルデータに加えて映像のデジタルデータと字幕のデジタルデータも記録されており、前記データ再生手段は、前記デジタルデータを再生して、前記字幕の入った映像の映像信号と、前記音声信号とを出力する。このとき、前記特殊再生制御手段は、前記操作子のマーク操作時期を表示期間として含む字幕の開始位置を探し、前記特定の区間の開始位置とする。聞きづらかった場合などを再度聞き直したい場合において、自分にあった時間だけ遡らせることが有効であるものの、あるフレーズやセンテンスの開始点から再生することも有効である。字幕が含まれている場合に、その表示期間中に操作子を操作したのであれば、字幕の開始位置がフレーズやセンテンスの開始点であることも多いと考えられる。このため、字幕の表示期間と操作子のマーク操作時期とを対比し、字幕の表示期間の開始点を再生位置の開始点とする。
【００１４】
本発明の他の態様として、前記マーク操作時期記憶手段は、前記操作子による第二のマーク操作時期を記憶することが可能であり、前記特殊再生制御手段は、前記特定の区間の開始位置から前記第二のマーク操作時期までの区間を、前記データ再生手段に対して、繰り返して再生させる構成としてある。
前記構成において、前記マーク操作時期記憶手段は、前記操作子による第二のマーク操作時期を記憶し、前記特殊再生制御手段は、前記特定の区間の開始位置から前記第二のマーク操作時期までの区間を、前記データ再生手段に対して、繰り返して再生させる。
【００１５】
マーク操作時期と開始時期の関係で特定区間を定めるとしても、繰り返して再生させる場合には、その区間だけを希望する場合と、そうでない場合とがある。後者の場合は、さらに長い区間を繰り返し再生できるように、終了点として、前記第二のマーク操作時期を設定する。
本発明の他の態様として、前記特殊再生制御手段は、前記特定の区間について、前記データ再生手段に対して、再生速度を変えて再生させる構成としてある。
【００１６】
前記構成において、特定の区間が聞きづらかったのであれば、再生速度を変えてゆっくりと聞き直せると学習効果が期待できる。また、聞きづらかった部分を理解できたら、今度は耳が慣れるように速く再生することも有効である。このため、再生速度を変えて再生させることが有意義である。
本発明の他の態様として、前記特殊再生制御手段は、前記特定の区間だけを、前記データ再生手段に対して、再生させる構成としてある。
【００１７】
聞きづらかった特定の区間だけに集中したいことが多い。特に、複数の部分でそのような聞きづらかった部分があれば、その部分だけを繰り返し聞けると、学習効果が期待できると思われる。
このため、前記構成においては、前記特定の区間だけを、前記データ再生手段に対して、再生させることができるようにしている。
本発明の他の態様として、前記マーク操作時期記憶手段は、前記操作子のマーク操作時期とともに操作中の期間を記憶し、前記特殊再生制御手段は、前記操作子のマーク操作時期から前記操作中の期間だけ遡った区間を、前記特定の区間として、前記データ再生手段に対して、再生させる構成としてある。
【００１８】
前記構成において、前記マーク操作時期記憶手段は、前記操作子のマーク操作時期とともに操作中の期間を記憶する。これは、ユーザが聞きづらかった場合に、それに気づいて遅れて操作するという背景がある。遅れて操作をするとしても、その遅れの期間はまちまちであるが、ユーザはどれくらい前に遡ればよいのかを知っている。従って、遡りたい時間だけ操作子を操作し続ける。例えば、１秒前からであれば押しボタンを１秒間押し続ける。また、３秒前からであれば、３秒間押し続ける。
【００１９】
すると、前記特殊再生制御手段は、前記操作子のマーク操作時期から前記操作中の期間だけ遡った区間を、前記特定の区間として、前記データ再生手段に対して、再生させる。例えば、１秒間押し続けたのであれば、操作を開始した時期から１秒間だけ遡った区間を前記特定の区間として再生させることになる。
【発明の効果】
【００２０】
本発明は、外国語学習などを効果的に進めるためにより利便性の高いデジタルメディア再生装置を提供することができ、特に、聞きづらかった部分が複数箇所にある場合、そのような部分だけを集中して聞けるように、抽出して再生することができる。
【図面の簡単な説明】
【００２１】
【図１】デジタルメディアである光ディスクの再生装置のブロック図である。
【図２】光ディスクの再生装置の処理手順に対応したフローチャートである。
【図３】操作と再生の対応を示す図である。
【図４】第二実施例の光ディスクの再生装置の処理手順に対応したフローチャートである。
【図５】設定画面を示す図である。
【図６】第三実施例の光ディスクの再生装置の処理手順に対応したフローチャートである。
【図７】字幕が表示されている際の映像を示す図である。
【図８】第四実施例の光ディスクの再生装置の処理手順に対応したフローチャートである。
【図９】操作と再生の対応を示す図である。
【図１０】第五実施例の光ディスクの再生装置の処理手順に対応したフローチャートである。
【図１１】操作と再生の対応を示す図である。
【図１２】第六実施例の光ディスクの再生装置の処理手順に対応したフローチャートである。
【図１３】操作と再生の対応を示す図である。
【図１４】第七実施例の光ディスクの再生装置の処理手順に対応したフローチャートである。
【図１５】操作と再生の対応を示す図である。
【発明を実施するための形態】
【００２２】
（第一実施例）
以下、図面にもとづいて本発明の実施形態を説明する。
図１は、デジタルメディアである光ディスクの再生装置（デジタルメディア再生装置）をブロック図により示している。
同図において、光ディスクドライブ１１は、ＣＤ、ＤＶＤ、ブルーレイディスクの読み込みが可能であり、指定された読み込み位置から、記録されているデジタルデータを読み出して出力する。読み出されたデジタルデータは、デコード部１２に入力されており、同デコード部１２がそれぞれの規格に対応してデジタルデータをデコードし、主に映像信号と音声信号とを出力する。なお、映像信号と音声信号は、アナログ信号として出力することも可能であるし、メディアへの記録フォーマットとは異なる規格のデジタルデータとして出力することも可能であり、具体的な信号については特に限定されない。また、ＣＤなど、音声だけのデジタルデータを含むメディアであっても構わない。また、ＭＰ３データを記憶する記憶ＩＣや、ネットワーク上のファイルもデジタルメディアに含まれることは言うまでもない。なお、光ディスクドライブ１１やデコード部１２がデータ再生手段に相当する。
【００２３】
制御部１３は、光ディスクドライブ１１とデコード部１２に接続され、これらを制御している。具体的には、光ディスクドライブ１１に対して、デジタルデータの読み込み開始位置を指定したり、デコード部１２に対してデコードすべきデータの種類、例えば音声の指定や映像のアスペクトなどを指定することも可能である。なお、制御部１３は、以下の各処理を実施する上で特殊再生制御手段に相当する。また、同特殊再生制御手段が実施する各工程はデジタルメディア再生方法となる。
制御部１３は操作パネル１４と接続され、同操作パネル１４の操作およびリモコン１５から操作パネル１４を介して入力されるユーザからの操作を受け付ける。制御部１３は、操作入力を受け付けるとともに、デコード部１２を介して映像信号にＯＳＤ信号を重畳させ、映像にメニューや操作ガイドなどを表示することが可能となっている。
【００２４】
リモコン１５には、再生、停止、音声選択などの各種の操作ボタンが供えられている。本実施例のリモコン１５については、少なくとも第一のマークボタン１５ａ、第二のマークボタン１５ｂ、再生ボタン１５ｃ、停止ボタン１５ｄ、リピート再生ボタン１５ｅが備えられている。なお、操作パネル１４とリモコン１５が操作子に相当する。なお、第一のマークボタン１５ａでマークしたところをＭ１−１、Ｍ１−２、Ｍ１−３と記し、第二のマークボタン１５ｂでマークしたところをＭ２と記す。
制御部１３の各種の制御に伴って利用する記憶領域として記憶部１６が備えられている。記憶部１６は不揮発性の記憶領域を持ち、主電源をオフにしても記憶内容は保持される。なお、記憶部１６は、マーク操作時期記憶手段に相当する。
【００２５】
図２は、光ディスクの再生装置の処理手順をフローチャートにより示しており、図３は、操作と再生の対応を図により示している。
図３に示す教材の中で下線を引いた部分が聞きづらいものとする。本実施例では、英教材の中で、マークしたところより５秒前から再生する例について説明する。
制御部１３は、リモコン１５の再生ボタン１５ｃが押されると、現在、装填されている光ディスクを再生させる。再生モードにはいくつかの選択が可能である、ここではリピート再生モードであるとする。この場合、再生中に第一のマークボタン１５ａが押されると、その再生場所をマークして記録するとともに、少なくともそのマークをした時点から所定時間だけ前の位置に戻って再生する。前の位置に戻るのでリピート再生モードと呼ぶ。
【００２６】
以上の処理を実現するため、制御部１３は、ステップＳ１００にて、再生中か否かを判断する。再生中は、ＣＤ等の音声だけの再生であるか、ＤＶＤ等の映像を伴うものの再生であるか、いずれであっても構わない。ユーザが再生中に聞きづらい単語があったとすると、第一のマークボタン１５ａを押す。すると、制御部１３は、ステップＳ１１０にて、マークボタン（第一のマークボタン１５ａ）の操作があったと判断する。そして、ステップＳ１２０にて、現在の再生時刻（再生時間）を取得してマーク時刻（終了時刻）に指定する。マーク時刻は複数の記憶が可能である。これらのマーク時刻はマーク操作時期記憶手段としての記憶部１６に記憶される。
【００２７】
制御部１３は、マークボタンを操作したタイミングを再生時刻で特定して記憶しつつ、ステップＳ１６０にて、マーク時刻（終了時刻）から５秒間だけ遡及した開始時刻を指定し、ステップＳ１７０にて、開始時刻とマーク時刻（終了時刻）との間の繰り返し再生を指示する。開始時刻や終了時刻とメディアとの関係は、制御部１３が管理しており、光ディスクドライブ１１に対して読み込みの開始位置や終了位置を指示する。むろん、光ディスクドライブ１１の側で再生時刻を管理できる場合もあり、その場合は、制御部１３は、光ディスクドライブ１１に対して開始時刻や終了時刻を指示して繰り返し再生を指定すればよい。
【００２８】
繰り返し再生の回数は、設定可能であり、デフォルトでは１回とする。すなわち、ある時点でマークボタンを押すと、位置を記憶後、５秒前に戻って再生する。この再生区間を特定の区間と呼ぶ。特定の区間の再生が終了したら、そのままマークした位置以降の再生へと続く。
一方、繰り返し回数を指定せず、ユーザが繰り返し再生を停止させるまで続けるようにすることもできる。この場合は、制御部１３は、ステップＳ１８０にて、停止ボタン１５ｄの操作があると判断するまで繰り返し再生を継続する。
【００２９】
すなわち、再生中、聞き取りづらかった部分をリモコンなどでマーキングし、再生機はマーキングを確認すると、マーキング箇所の少し（たとえば５秒）前に戻し、その部分から再生を始める。
このように、ユーザが聞きづらかった位置でマークボタン（第一のマークボタン１５ａ）を操作すると、その位置をマーク時刻（終了時刻）として記憶しつつ、少なくとも一度は５秒前に戻り、繰り返して再生できるようにしている。なお、マークボタン（第一のマークボタン１５ａ）を操作したときに、その位置をマーク時刻（終了時刻）として記憶するだけとし、その時点では５秒前に戻らないモードとしても良い。そして、リピート再生ボタン１５ｅが押されたときに、制御部１３が記憶部１６からマーク時刻（終了時刻）を読み込み、各マーク時刻（終了時刻）から５秒前に戻った位置を開始位置として再生することも可能である。いずれにしても、特定の区間を指定するのにマークすべきなのは一カ所であり、その位置を終了時刻として５秒前を開始位置として設定している。よって、開始位置と終了位置を常に設定しなければならない従来のものと比べて、格段に、利便性が向上する。
【００３０】
（第二実施例）
図４は、第二実施例の光ディスクの再生装置の処理手順をフローチャートにより示しており、図５は、設定画面を図により示している。
本実施例では、戻り時間の調整を可能とする。
制御部１３は、ステップＳ２００にて、メニューの選択操作があると判断したとき、ステップＳ２１０にて、戻り時間の調整を選択したか判断する。戻り時間の調整は、いわゆるセットアップの処理の一つとして実行したり、その後の設定処理の中で実行される。いずれの場合も、メニューから選択することになる。
【００３１】
戻り時間の調整が選択されると、制御部１３は、ステップＳ２２０にて、図５に示す設定画面を表示し、戻り時間の設定を待機する。すなわち、ユーザによるリモコン１５の操作を受付、図５に示す画面で、戻り時間（ＲｅｐｌａｙＴｉｍｅ）の変更を受け付ける。デフォルトでは５秒としておくが、ユーザが任意の時間に変更できる。ユーザは、任意の時間に変更後、終了を選択する。すると、制御部１３は、ステップＳ２３０にて、終了を選択したと判断し、この戻り時間の調整を終了する。
【００３２】
以後、制御部１３は、マーク時刻（終了時刻）から所定時間だけ戻った位置を開始時刻として設定するとき、ステップＳ２２０で設定された戻り時間を使用して同開始時刻を計算する。
ユーザによっては、特定の区間として再生したい区間について、短めに設定した人もいるであろうし、より長めに設定したい人もいる。このようにして、ユーザの好みに合わせることにより、最適な戻り位置を設定でき、学習効果の向上を期待できる。
【００３３】
（第三実施例）
図６は、第三実施例の光ディスクの再生装置の処理手順をフローチャートにより示しており、図７は、字幕が表示されている際の映像を図により示している。
本実施例では、字幕があるところでマークすると、字幕の先頭から再生を開始できるようにする。
制御部１３は、ステップＳ１００〜ステップＳ１２０にて、マーク時刻（終了時刻）の指定まで行ったとする。次に、制御部１３は、ステップＳ１３０にて、字幕の表示中であるか判断し、字幕の表示中であるときは、ステップＳ１４０にて、字幕の表示期間のデータを取得する。ＤＶＤを再生しているときに字幕をオンにしているときは、字幕の表示期間の前に字幕のデータが得られる。
【００３４】
ＤＶＤの場合、ＳＰ表示制御コマンド（ＳＰ_ＤＣＣＭＤ，Ｓｕｂ  Ｐｉｃｔｕｒｅ  Ｄｉｓｐｌａｙ  Ｃｏｎｔｒｏｌ  Ｃｏｍｍａｎｄ）内に記録されたデータＳＴＡ_ＤＳＰ（Ｓｅｔｓ  ｄｉｓｐｌａｙ  ｓｔａｒｔ  ｔｉｍｉｎｇ  ｏｆ  ｐｉｘｅｌ  ｄａｔａ，ピクセルデータ表示開始タイミングを設定から）を得ることができる。これにより、マーク時刻（終了時刻）に表示される字幕について、その表示開始時間を算出できる。従って、ステップＳ１５０では、字幕の表示開始の時刻を開始時刻に指定する。なお、このときにオプションとして字幕の表示終了の時刻を終了時刻に指定できるようにしてもよい。
【００３５】
この後、制御部１３は、ステップＳ１７０にて、開始時刻（字幕の表示開始の時刻）とマーク時刻（終了時刻）との間の繰り返し再生を指示する。１回の再生とするか、繰り返しの再生とするかは、上述したように設定として決めておけばよい。そして、繰り返しの再生とするときは、制御部１３が、ステップＳ１８０にて、停止ボタン１５ｄの操作があったと判断されるまで繰り返す。
【００３６】
このように、字幕の表示を伴う場合に、字幕の表示中にマークボタンを操作したときは、表示中の字幕の開始時間を繰り返し再生のための開始時間と設定する。この結果、繰り返しによる学習効果に加え、そのシーンを時間検索することでよりユーザに有用性を与えることも可能になる。
すなわち、字幕が含まれている場合に、その表示期間中に操作子を操作したのであれば、字幕の開始位置がフレーズやセンテンスの開始点であることも多いと考えられるから、字幕の表示期間と操作子のマーク操作時期とを対比し、字幕の表示期間の開始点を再生位置の開始点としている。
【００３７】
（第四実施例）
図８は、第四実施例の光ディスクの再生装置の処理手順をフローチャートにより示しており、図９は、操作と再生の対応を図により示している。
本実施例では、終点を決めると、開始点から繰り返して再生できるようにする。
例えば、再生中にユーザが第二のマークボタン１５ｂを操作したとする。この第二のマークボタンは終点の指定のためのものである。
【００３８】
制御部１３は、ステップＳ３００にて、再生中であると判断し、さらに、ステップＳ３１０にて、第二マークボタンの操作があったと判断できる。すると、制御部１３は、ステップＳ３２０にて、現在の再生時刻を取得して第二マーク時刻（終了時刻）に指定し、ステップＳ３３０では、現在の開始位置から第二マーク時刻（終了時刻）との間を再生範囲に指定する。現在の開始位置とは、繰り返し再生の勉強をしたい場所としての開始位置であり、デフォルトでは、マーク時刻（終了時刻）から５秒前に戻った位置である。むろん、これ以外の開始位置を指定しておいても良い。このようにして、開始値と終了時刻とが決まり、制御部１３は、ステップＳ３４０にて、再生範囲の再生を指示すると、光ディスクドライブ１１は指定された範囲の読み出しを開始し、読み出されたデジタルデータはデコード部１２にてデコードされ、少なくとも音声は再生される。そして、繰り返して再生している間に、ユーザが停止ボタン１５ｄを押すと、制御部１３は、ステップＳ４４０にて、停止ボタンの操作があったと判断し、終了する。
【００３９】
このようにして、一度聞いただけで音声が聞き取れない場合、聞き取れるようになるまで複数回、同じ箇所を再生するが、終点を設定するだけで、開始位置を始点とし例文を繰り返し再生する。繰り返し再生を終了する場合は、停止ボタン１５ｄを押す（キャンセルするための操作）。
【００４０】
（第五実施例）
図１０は、第五実施例の光ディスクの再生装置の処理手順をフローチャートにより示しており、図１１は、操作と再生の対応を図により示している。
本実施例では、マークしたところより５秒前からゆっくり再生することができるようにする。
制御部１３は、ステップＳ３００〜ステップＳ３２０にて、先の実施例と同様に、開始位置と終了位置を指定し、ステップＳ３３０にて、現在の開始位置から第二マーク時刻（終了時刻）との間を再生範囲に指定する。これにより、この区間の再生が繰り返される。
【００４１】
また、制御部１３は、ステップＳ３５０にて、再生範囲に、マーク時刻（終了時刻）が含まれるか判断し、含まれるのであれば、ステップＳ３６０にて、マーク時刻（終了時刻）と開始時刻とを設定する。
そして、再生が開始されると、制御部１３は、ステップＳ３７０にて、リアルタイムに現時点での再生場所が開始時刻とマーク時刻（終了時刻）との間に入っていないか判断する。入っていない場合は、ステップＳ３８０にて、通常速度での再生を指示する。これに対して、現時点での再生場所が開始時刻とマーク時刻（終了時刻）との間に入っている場合は、再生速度の指定を判断する。ユーザは、予め、マークした位置から５秒戻った位置の特定の区間を、ゆっくり再生したいのか、速く再生したいのかを選択しておくことができる。デフォルトでは、ゆっくり再生としている。
【００４２】
制御部１３は、ステップＳ３９０にて、ゆっくりを指定していると判断すると、ステップＳ４００にて、遅めの速度での再生を指示するし、そうでなければ、ステップＳ４１０にて、速めの速度での再生を指示する。
再生速度の指示はデコード部１２に対して行い、デコード部１２での処理状況に応じて、光ディスクドライブ１１での読み込みのタイミングを合わせていく。むろん、デコード部１２にはバッファが備えられており、同バッファに一時記憶されているデジタルデータの量に応じて、光ディスクドライブ１１での読み込みが追従するようにしても良い。
【００４３】
特定の区間でのゆっくり再生、あるいは速めの再生を終了したい場合、ユーザは停止ボタン１５ｄを押す。すると、制御部１３は、ステップＳ４４０にて、停止ボタンの操作があったものと判断し、終了する。
このように、特定の単語が聞き取れない場合、マーキングした箇所（マーク時刻とその５秒前の区間）のみ再生速度を変更して再生することができる。たとえば、図１１でのマーク時刻の前を話速再生などで通常の速さより遅く再生する。むろん、習熟度に応じて、速めに再生することもできる。
【００４４】
（第六実施例）
図１２は、第六実施例の光ディスクの再生装置の処理手順をフローチャートにより示しており、図１３は、操作と再生の対応を図により示している。
本実施例では、マークしたところより５秒前の区間のみを抽出することができるようにする。
制御部１３は、ステップＳ３００〜ステップＳ３６０にて、先の実施例と同様に、開始位置と終了位置を指定するとともに、現在の開始位置から第二マーク時刻（終了時刻）との間を再生範囲に指定し、さらに、再生範囲にマーク時刻（終了時刻）が含まれていれば、それぞれのマーク時刻（終了時刻）に対応した開始時刻を設定しておく。
【００４５】
そして、再生が開始されると、制御部１３は、ステップＳ３７０にて、リアルタイムに現時点での再生場所が開始時刻とマーク時刻（終了時刻）との間に入っていないか判断する。入っていない場合は、ステップＳ４２０にて、スキップする。すなわち、その間の再生については、デジタルデータは読み込むが、デコードはしない。しかし、再生位置を徐々に進めていって、再生場所が開始時刻とマーク時刻（終了時刻）との間に入ったら、制御部１３は、ステップＳ４３０に、対象区間を再生したり、外部へデータを出力したりする。これにより、特定の区間だけを抽出して再生したり、データを出力したりすることができるようになる。
【００４６】
図１３に示すように、矢印の部分だけが再生される。
特定の区間の抽出再生を終了したい場合、ユーザは停止ボタン１５ｄを押す。すると、制御部１３は、ステップＳ４４０にて、停止ボタンの操作があったものと判断し、終了する。
このように、特定の単語が聞き取れない場合、マーキングした箇所（マーク時刻とその５秒前の区間）のみ抽出して再生する。なお、先の実施例のように、ゆっくり再生したり、速めの再生をすることを行っても良い。
【００４７】
（第七実施例）
図１４は、第七実施例の光ディスクの再生装置の処理手順をフローチャートにより示しており、図１５は、操作と再生の対応を図により示している。
本実施例では、押している間の長さに相当する時間だけ戻って再生することができるようにする。
制御部１３は、ステップＳ５００にて、再生中であると判断されるときに、ステップＳ５１０にて、マークボタン（第一のマークボタン１５ａ）の操作があったと判断すると、ステップＳ５２０にて、現在の再生時刻を取得してマーク時刻（終了時刻）に指定する。
【００４８】
ユーザは、聞きづらかったと感じたら、その単語が終わった後でよいので、第一のマークボタン１５ａを押す。すなわち、聞きづらかった単語と、いわゆるマークする位置とがずれていて構わない。しかし、聞きづらかった単語の位置から、第一のマークボタン１５ａを押し始めた位置までの時間には気をつける。例えば、「単語が終わってから２秒くらいたってから自分は第一のマークボタン１５ａを押し始めた」という認識を持っておく。その場合、ユーザはその後に再生が続いている間、約２秒間だけ第一のマークボタン１５ａを押し続ける。すなわち、聞き逃したような単語から第一のマークボタン１５ａを押し始めるまでの時間を意識し、それとほぼ同じ時間だけ第一のマークボタン１５ａを押し続ける。言い換えると、聞き逃したような単語から第一のマークボタン１５ａを押し始めるまでの時間とは、戻したい時間に相当し、戻したい時間だけ第一のマークボタン１５ａを押し続けるのである。
【００４９】
制御部１３は、ステップＳ５３０にて、マークボタンの操作を解除されるまで待機しており、解除されると、ステップＳ５４０にて、マーク時刻（終了時刻）からの時間経過を記憶し、ステップＳ５５０では、マーク時刻（終了時刻）から同時間経過分だけ遡及した開始時刻を指定する。すなわち、押し続けた時間が戻したい時間になっている。
その後、制御部１３は、ステップＳ５６０にて、開始時刻とマーク時刻（終了時刻）との間の繰り返し再生を指示する。そして、ステップＳ５７０にて、停止ボタンの操作があると判断されるまで繰り返す。
【００５０】
図１５を参照すると、１）の例では、「ｎｅｉｇｈｂｏｒｓ」を聞きづらかったと感じた後、「ｎｏｉｓｅ」の開始あたりから第一のマークボタン１５ａを押し続けたとする。押し続けたのは＠のマークで８個分の長さであったとする。すると、「ｎｏｉｓｅ」の開始あたりから＠のマークで８個分の長さの時間だけさかのぼった位置から再生を繰り返すことになる。
【００５１】
２）の例では、「ｃｏｎｓｔａｎｔｌｙ」を聞きづらかったと感じた後、「ｍｏｔｏｒｃｙｌｅｓ」の途中あたりから第一のマークボタン１５ａを押し続けたとする。押し続けたのは＠のマークで１１個分の長さであったとする。すると、「ｍｏｔｏｒｃｙｃｌｅｓ」の途中あたりから＠のマークで１１個分の長さの時間だけさかのぼった位置から再生を繰り返すことになる。
【００５２】
このように、聞きづらかったり、聞き逃した単語を後で気づいたときに、戻したい時間だけマークボタンを押し続けることにより、マークボタンを押し始めた時刻から、押し続けた時間だけ戻って再生を開始してくれる。これにより、後で気づいて操作をしても、繰り返して再生したかった場所を比較的正確、かつ、容易に指定することができるようになった。
【００５３】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００５４】
１１…光ディスクドライブ、１２…デコード部、１３…制御部、１４…操作パネル、１５…リモコン、１５ａ…マークボタン、１５ｂ…マークボタン、１５ｃ…再生ボタン、１５ｄ…停止ボタン、１５ｅ…リピート再生ボタン、１６…記憶部。
【図１】
2015153437.tif 000003
【図２】
2015153437.tif 000004
【図３】
2015153437.tif 000005
【図４】
2015153437.tif 000006
【図５】
2015153437.tif 000007
【図６】
2015153437.tif 000008
【図７】
2015153437.tif 000009
【図８】
2015153437.tif 000010
【図９】
2015153437.tif 000011
【図１０】
2015153437.tif 000012
【図１１】
2015153437.tif 000013
【図１２】
2015153437.tif 000014
【図１３】
2015153437.tif 000015
【図１４】
2015153437.tif 000016
【図１５】
2015153437.tif 000017